(57)【要約】【課題】  袋支持枠への袋の取付性が良く、取付強度も高いゴミ容器の提供。【解決手段】  袋支持枠と、前記袋支持枠に接続された固定面への取付具を有する袋支持手段と、前記袋支持枠に取り付けるための袋とを有するゴミ容器であり、袋10が、開口部12両端の対向する面同士が固着一体化された２箇所のストッパ部19a、19bを有しており、ストッパ部19a、19bにおける開口部12の内周長さ（Ｌ１）と袋支持枠の外周長さ（Ｌ２）が次式：Ｌ１／Ｌ２＜１で示される関係を満たすように設定されている。【選択図】  図１
2008120573.tif 000002
【特許請求の範囲】
【請求項１】
袋支持枠と、前記袋支持枠に接続された固定面への取付具を有する袋支持手段と、前記袋支持枠に取り付けるための袋とを有するゴミ容器であり、
前記袋が、開口部両端の対向する面同士が固着一体化された２箇所のストッパ部を有しており、
前記ストッパ部の内側における開口部の内周長さ（Ｌ１）と前記袋支持枠の外周長さ（Ｌ２）が次式（１）：Ｌ１／Ｌ２＜１  （１）で示される関係を満たすように設定されているものである、ゴミ容器。
【請求項２】
前記式（１）において、Ｌ１／Ｌ２＝０．５０〜０．９９の範囲である、請求項１記載のゴミ容器。
【請求項３】
前記ストッパ部が、曲線又は直線と曲線の組み合わせからなるものである、請求項１又は２記載のゴミ容器。
【請求項４】
前記ストッパ部が、袋の側辺を囲む曲線である、請求項１〜３のいずれかに記載のゴミ容器。
【請求項５】
前記ストッパ部が、外周が曲線を含む環である、請求項１〜３のいずれかに記載のゴミ容器。
【請求項６】
前記ストッパ部が、外周が曲線を含む面である、請求項１〜３のいずれかに記載のゴミ容器。
【請求項７】
前記ストッパ部が、空気層を有しているものである、請求項１〜５のいずれかに記載のゴミ容器。
【請求項８】
前記袋が、開口部の両端に結び手部を有しており、前記ストッパ部の一部が前記結び手部に位置しているものである、請求項１〜７のいずれかに記載のゴミ容器。
【発明の詳細な説明】
【技術分野】
【０００１】
本発明は、台所に着脱自在に取り付けることができるゴミ容器に関する。
【背景技術】
【０００２】
台所用の生ゴミ用の容器としては、従来から、いわゆる三角コーナーと称されているプラスチック製や金属製のものの中にゴミ袋を取り付けたものが汎用されている。しかし、このような三角コーナーは、それ自体が汚れたり、ぬめりを生じたりすることから、見た目や衛生上の観点から、好ましいものではない。
【０００３】
三角コーナーに代わるものとして、特許文献１には、袋支持枠とくびれ部を有する袋を組み合わせたゴミ、物品等の投入容器が開示されている。この投入容器は、袋支持枠を流し台上に固定して使用し、ゴミを投入した袋がシンク内に位置するように取り付け、前記袋のみを取り外して廃棄するものであるため、三角コーナーを用いた場合の外観上や衛生上の問題が解決されている点で優れている。このような投入容器は、本願出願人より、「三角コーナーいらず」の商品名で市販されている。
【特許文献１】特公平５−２０３２１号公報
【発明の開示】
【発明が解決しようとする課題】
【０００４】
袋支持枠に袋を取り付ける方法は、商品名「三角コーナーいらず」の使用方法として広く知られており、商品の使用方法として、商品の包装袋の裏面において、次の手順(1)〜(6)とそれに対応した写真が印刷されている。ここで、「リング」が本発明の袋支持枠に相当する。
(1)袋を１枚取り出し、袋の中にすっぽりと、リングを入れます。
(2)左手で袋をリングの根本あたりで押さえ、右手で袋の底を上に持ち上げていきます。
(3)そのまま少しピンとなるまで袋の底をつまみ上げます。
(4)左手で袋を押さえたまま、つまみ上げた袋の底をリングの中に入れます。
(5)そのまま袋がひっかかるまで軽く押し下げます。
(6)袋の形を整えて、完成です。
【０００５】
本発明は、袋支持手段の袋支持枠への袋の取付性を損なうことなく、袋の取付強度が高められたゴミ容器を提供することを課題とする。
【課題を解決するための手段】
【０００６】
本発明は、課題の解決手段として、
袋支持枠と、前記袋支持枠に接続された固定面への取付具を有する袋支持手段と、前記袋支持枠に取り付けるための袋とを有するゴミ容器であり、
前記袋が、開口部両端の対向する面同士が固着一体化された２箇所のストッパ部を有しており、
前記ストッパ部の内側における開口部の内周長さ（Ｌ１）と前記袋支持枠の外周長さ（Ｌ２）が次式（１）：Ｌ１／Ｌ２＜１  （１）で示される関係を満たすように設定されているものである、ゴミ容器を提供する。
【０００７】
本発明のゴミ容器は、上記した手順(1)〜(6)のようにして、袋支持手段の袋支持枠に袋を取り付けて使用することができる。本発明の袋におけるストッパ部は、手順(5)において、袋支持枠に袋を引っ掛け、袋が脱落することを防止する作用をするものである。
【０００８】
そして、このようなストッパ部を袋に設け、かつ袋支持枠とストッパ部を有する袋とが式（１）を満たすように関連づけることにより、袋支持枠に袋を取り付けるときの取付易さを向上させ、同時に袋の取付強度を高めたものである。
【０００９】
袋支持枠に対する袋の取付強度が小さいと、袋取付時に取付部分が外れることがあるほか、生ゴミは水分を多く含み、質量が大きくなるため、袋を廃棄する前に袋支持枠から袋が脱落するおそれもあるが、本発明は、袋支持枠への取付強度をより高めることで、前記課題を解決したものである。
【００１０】
袋支持枠は、合成樹脂、金属、木材等からなる円形又は楕円形のもの（例えば、上記した市販品で使用されているもの）を用いることができる。袋は、底面側に水切り用の多数の小孔を有していることが好ましい。袋は、熱可塑性樹脂からなるものを用いることができる。袋のストッパ部は、熱可塑性樹脂製の袋の対向する面同士を熱融着する方法、接着剤で接着する方法等を適用して形成する。
【００１１】
本発明は、前記式（１）において、Ｌ１／Ｌ２＝０．５０〜０．９９の範囲にすることで、上記した袋の取付易さと取付強度をより高めることができる。
【００１２】
本発明では、袋に形成されたストッパ部は、
（I）ストッパ部が、曲線又は直線と曲線の組み合わせからなるもの
（II）ストッパ部が、袋の側辺を囲む曲線であるもの、
（III）ストッパ部が、外周が曲線を含む環であるもの、
（IV）ストッパ部が、外周が曲線を含む面（又は面に等しい点の集合体も含む）であるもの、
（V）前記（II）〜（IV）を適宜組み合わせたもの、
にすることができる。
【００１３】
図６に示すように、ストッパ部（即ち、固着一体化された部分）２０１が直線の場合は、袋を袋支持枠に取り付けるとき、袋の開口部２１２を開くことで加えられる力が直線状の固着一体化された部分の端部に集中して、固着一体化された部分が剥離したり、固着一体化された部分で袋が破損したりするおそれがある。
【００１４】
しかし、本発明のストッパ部のように曲線を有している場合には、前記力は分散され、１箇所に集中することがないため、固着一体化された部分に悪影響が及ぶことがない。
【００１５】
（I）のストッパ部の場合は、図６に示す比較例の課題を解決するため、袋の開口部方向に面した部分が曲線であればよい。このようにすることで、袋の開口部を拡げたときにストッパ部の端部に加えられる力が分散されるため、袋支持枠への取付性が良くなる。
【００１６】
（II）、（III）のストッパ部の場合は、例えば、線状の熱融着部と、熱融着部で囲まれた空気層を有するもの（膨らんでいるもの）でもよいし、前記空気層を有していないもの（膨らんでいないもの）（以下「非空気層」と称する）でもよい。
【００１７】
（IV）のストッパ部の場合は、例えば、円形、楕円形又は扇形の熱融着部が形成されたものにすることができる。このようにストッパ部が面である場合は、線である場合に比べて、熱可塑性樹脂製の袋の対向する面同士の固着強度が高められるので、袋支持枠への取付性が良くなる。
【００１８】
（V）のストッパ部の場合、袋の側辺を囲む曲線の内側又は外周が曲線を含む環の内側に、面又は点の熱融着部を形成することができる。このようにした場合は、線又は環の熱融着部の中に、面又は点の熱融着部が存在し、前記面又は点の熱融着部の周囲が空気層又は非空気層となる。このようにすることで、熱融着の信頼性が向上し、袋支持枠への取付性が良くなる。
【００１９】
本発明のゴミ容器は、廃棄時の取り扱い性を良くするため、開口部の両端に結び手部を形成することができ、ストッパの一部が前記結び手部に位置するようにしてもよい。
【００２０】
このようにストッパの一部を結び手部に形成することより、袋支持枠で折り返されている部分を短くすることができるので、ごみの投入容量はそのままで、袋全体の長さを短くすることができる。
【発明の効果】
【００２１】
本発明のゴミ容器は、袋支持手段への袋の取付が容易で、袋の取付強度が向上されている。
【発明を実施するための最良の形態】
【００２２】
図１は、ゴミ容器を構成する袋の正面図、図２は、ゴミ容器を構成する袋支持手段の平面図である。図３（ａ）〜（ｃ）は、図１の袋とは別形態の袋の正面図である。図４（ａ）〜（ｈ）は、図１の袋とは別形態の袋の正面図、図５（ａ’）、（ｃ’），（ｅ’）、（ｇ’）は、図１の袋とは更に別形態の袋の正面図である。図６は、本発明の作用効果を説明するための比較例となる袋の正面図である。
【００２３】
袋１０は、開口部１２両端の対向する面同士が熱融着された２箇所のストッパ部１５ａ、１５ｂを有している。袋１０の下半分には、水切り穴１８が多数形成されている。
【００２４】
ストッパ部１５ａ、１５ｂは、袋の側辺１１ａ、１１ｂが曲線状の熱融着部１６ａ、１６ｂで囲まれており、熱融着部１６ａ、１６ｂで囲まれた内部には空気層１７ａ、１７ｂが形成されていてもよい。空気層１７ａ、１７ｂが形成された場合は、少し膨らんだ状態になっている。
【００２５】
ストッパ部１５ａ、１５ｂ間の最短距離部分が１／２Ｌ１となり、この２倍の値が、式（１）におけるＬ１となる。
【００２６】
袋１０の開口部１２の両端には、ゴミ捨て時に結んで開口部１２を閉じるための２箇所の結び手部１９ａ、１９ｂが形成されている。図１において、開口部１２を示す線をそのまま両端側に結び手部１９ａ、１９ｂを横切るように延長したとき、その線（図１中の破線）より上が結び手部１９ａ、１９ｂとなる。よって、図１から明らかなとおり、結び手部１９ａ、１９ｂには、ストッパ部１５ａ、１５ｂはかかっていない。
【００２７】
袋支持手段１５０は、リング状の袋支持枠１５１と、袋支持枠１５１に接続された固定面への取付具１５２を有している。取付具１５２は、固定面に対して着脱自在にするための吸盤１５３を有している。袋支持枠１５１の外周が式（１）におけるＬ２となる。
【００２８】
本発明では、ストッパ部１５ａ、１５ｂの内側における開口部の内周長さ（Ｌ１）と袋支持枠２１の外周長さ（Ｌ２）が式（１）を満たしている。
【００２９】
更に本発明では、本発明の課題を解決するため、式（１）において、Ｌ１／Ｌ２＝０．５０〜０．９９の範囲であることが好ましく、０．７０〜０．９５の範囲であることがより好ましく、０．８０〜０．９２の範囲であることが更に好ましい。前記範囲にすることにより、袋支持枠への袋の取付性、取付強度を高めることができる。
【００３０】
次に、図３（ａ）〜（ｃ）により、ストッパ部の形態が異なるゴミ容器について説明する。
【００３１】
図３（ａ）〜（ｃ）は、上記した（I）のストッパ部に相当するものである。（ａ）は、直線と曲線の組み合わせからなるストッパ部２１であり、袋の側辺１１ａ、１１ｂには接していない。（ｂ）は、波形の曲線からなるストッパ部２２であり、袋の側辺１１ａ、１１ｂに接している。（ｃ）は、（ｂ）より緩やかな波形の曲線からなるストッパ部２３であり、袋の側辺１１ａ、１１ｂには接していない。いずれの実施形態においても、袋の開口部１２方向に面した部分が曲線となっている。
【００３２】
次に、図４（ａ）〜（ｈ）により、ストッパ部の形態が異なるゴミ容器について説明する。
【００３３】
図４（ａ）、（ｂ）は、上記した（II）のストッパ部に相当するものである。（ａ）は、熱融着部３２と空気層（又は非空気層）３３とを有するストッパ部３１であり、（ｂ）は、熱融着部４２と空気層（又は非空気層）４３とを有するストッパ部４１である。
【００３４】
図４（ｃ）、（ｄ）は、上記した（III）のストッパ部に相当するものである。（ｃ）は、円形の熱融着部５２と空気層（又は非空気層）５３とを有するストッパ部５１であり、（ｂ）は、楕円形の熱融着部６２と空気層（又は非空気層）６３とを有するストッパ部６１である。
【００３５】
図４（ｅ）、（ｆ）は、上記した（IV）のストッパ部に相当するものである。（ｅ）は、円形内の全面が熱融着されたストッパ部７１、（ｆ）は、楕円形内の全面が熱融着されたストッパ部８１である。
【００３６】
図４（ｇ）、（ｈ）は、上記した（V）のストッパ部に相当するものである。（ｇ）は、円形の熱融着部９２の中心部に点の熱融着部９３を有し、熱融着部９２内の熱融着部９３を除いた部分が空気層（又は非空気層）９４であるストッパ部９１であり、（ｈ）は、楕円形の熱融着部１０２の中心部に点の熱融着部１０３を有し、熱融着部１０２内の熱融着部１０３を除いた部分が空気層（又は非空気層）１０４であるストッパ部１０１である。
【００３７】
なお、図４（ａ）において図１と同様にして破線で示したとおり、図４（ａ）では、ストッパ部３１は、結び手部１９ａ、１９ｂにはかかっておらず、（ｂ）〜（ｈ）でも同様である。
【００３８】
次に、図５（ａ’）、（ｃ’），（ｅ’）、（ｇ’）により、ストッパ部の形態が異なるゴミ容器について説明する。図５（ａ’）、（ｃ’），（ｅ’）、（ｇ’）は、それぞれ図４（ａ）、（ｃ）、（ｅ）、（ｇ）に対応するものであり、各図と同じ形態のストッパ部３１、５１、７１、９１を有するものであるが、それぞれのストッパ部の形成位置が異なっている。
【００３９】
図１と同様にして、開口部１２を示す線をそのまま両端側に結び手部１９ａ、１９ｂを横切るように延長したとき、その線（図５中の破線）より上にストッパ部３１、５１、７１、９１の一部がかかっている。
【００４０】
このようにすることで、図４（ａ）、（ｃ）、（ｅ）、（ｇ）の形態と比べると、ごみの投入容量はそのままで、袋全体の長さを短くすることができる。
【図面の簡単な説明】
【００４１】
【図１】本発明のゴミ容器で用いる袋の正面図。
【図２】本発明のゴミ容器で用いる袋支持手段の平面図。
【図３】本発明のゴミ容器で用いる袋の他の実施形態の正面図。
【図４】本発明のゴミ容器で用いる袋の更に他の実施形態の正面図。
【図５】本発明のゴミ容器で用いる袋の更に他の実施形態の正面図。
【図６】比較例の袋の正面図。
【符号の説明】
【００４２】
１０  袋
１１ａ、１１ｂ  側辺
１２  開口部
１５ａ、１５ｂ  ストッパ部
１６ａ、１６ｂ  熱融着部
１７ａ、１７ｂ  空気層（又は非空気層）
１８  水切り穴
１９ａ、１９ｂ  結び手部
１５０  袋支持手段
１５１  袋支持枠
１５２  取付具
１５３  吸盤
【図１】
2008120573.tif 000003
【図２】
2008120573.tif 000004
【図３】
2008120573.tif 000005
【図４】
2008120573.tif 000006
【図５】
2008120573.tif 000007
【図６】
2008120573.tif 000008